【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のデバイスにより実行されたクリアチャネルアセスメント（ＣＣＡ）と関連付けられる複数の物理キャリアから、前記第１のデバイスにより実行された前記ＣＣＡが成功した前記物理キャリアのうちの１つを特定することと、ここで、前記仮想キャリアは、前記複数の物理キャリアを通じた前記ワイヤレスデータ送信の符号化および復号の間の前記物理キャリアのうちの前記特定された１つのためのプロキシであることを特徴とする、
前記第１のデバイスによるワイヤレスデータ送信と関連付けられる仮想キャリアを、前記物理キャリアのうちの前記特定された１つにマッピングすることと
を備える、方法。
【請求項２】
前記ワイヤレスデータ送信を、前記物理キャリアのうちの前記１つを通じて第２のデバイスにおいて前記第１のデバイスから受信することをさらに備える、請求項１に記載の方法。
【請求項３】
前記第１のデバイスからのシグナリングを第２のデバイスにおいて受信することをさらに備え、前記ＣＣＡが成功した前記物理キャリアのうちの前記１つが、前記第１のデバイスからの前記シグナリングに基づいて前記第２のデバイスによって特定される、請求項１に記載の方法。
【請求項４】
前記複数の物理キャリアを、前記第１のデバイスによる前記ワイヤレスデータ送信の前に監視することをさらに備え、前記第１のデバイスからの前記シグナリングが、前記ワイヤレスデータ送信の前に前記物理キャリアのうちの前記１つを通じて受信され、前記シグナリングが、前記物理キャリアのうちの前記１つを通じて前記第１のデバイスから受信されるチャネル使用ビーコン信号（ＣＵＢＳ）、または前記物理キャリアのうちの前記１つを通じて前記第１のデバイスから受信される参照信号を備える、請求項３に記載の方法。
【請求項５】
前記第１のデバイスによって、前記ワイヤレスデータ送信と関連付けられる仮想キャリアの数に基づいて、前記ＣＣＡと関連付けられる前記複数の物理キャリアを選択することをさらに備える、請求項１に記載の方法。
【請求項６】
前記第１のデバイスによって、前記ワイヤレスデータ送信と関連付けられる仮想キャリアの数よりも多数の数の物理キャリア上でＣＣＡを実行することをさらに備える、請求項１に記載の方法。
【請求項７】
前記ＣＣＡが成功した前記物理キャリアの数が仮想キャリアの数よりも少ないという決定に基づいて、少なくとも第２の仮想キャリアをマッピングするのを控えることと、前記第１のデバイスによって、仮想キャリアの前記数以下である数の前記物理キャリアについてチャネル使用ビーコン信号（ＣＵＢＳ）を送信することとをさらに備える、請求項６に記載の方法。
【請求項８】
前記第１のデバイスによって、前記ＣＣＡが成功した前記物理キャリアの数が仮想キャリアの前記数よりも多いという決定に基づいて、複数の物理キャリアを通じて前記ワイヤレスデータ送信の少なくとも一部分を冗長的に送信することをさらに備える、請求項６に記載の方法。
【請求項９】
前記第１の仮想キャリアの優先順位に対する前記第２の仮想キャリアの優先順位に基づいて、前記第２の仮想キャリアをマッピングするのを控えると決定することをさらに備える、請求項１に記載の方法。
【請求項１０】
前記第１のデバイスによって、前記仮想キャリアのためのアップリンクグラントを受信することをさらに備え、前記アップリンクグラントが、前記第１のデバイスによって前記ＣＣＡと関連付けられる前記複数の物理キャリアを備える、請求項１に記載の方法。
【請求項１１】
前記仮想キャリアが、前記ワイヤレスデータ送信と関連付けられる複数の仮想キャリアのうちの１つを備え、前記方法は、
前記第１のデバイスによる前記ＣＣＡが成功した前記物理キャリアのサブセットを特定することと、
前記第１のデバイスと、前記ワイヤレスデータ送信を受信するように構成された第２のデバイスとの間で共有される、所定のマッピング方式に基づいて、前記サブセットの前記物理キャリアのうちの１つに前記仮想キャリアの各々をマッピングすることと、ここにおいて、前記所定のマッピング方式は、最小の番号の仮想キャリアが、前記物理キャリアの前記サブセットのための最小の番号の物理キャリアにマッピングされるように、定められる、
をさらに備える、請求項１に記載の方法。
【請求項１２】
前記物理キャリアのうちの前記１つのキャリア識別フィールド（ＣＩＦ）において、前記仮想キャリアと関連付けられる識別子を送信することをさらに備える、請求項１に記載の方法。
【請求項１３】
前記仮想キャリアが、前記ワイヤレスデータ送信と関連付けられる複数の仮想キャリアのうちの第１の仮想キャリアを備え、前記方法は、
物理キャリアの複数の重複しないサブセットを特定することと、ここにおいて、物理キャリアの前記重複しないサブセットの各々は前記仮想キャリアのそれぞれ１つに対応する、
物理キャリアの各サブセットについて、前記第１のデバイスにより実行された前記ＣＣＡが物理キャリアの前記サブセットのうちの少なくとも１つの物理キャリアについて成功したかどうかを決定することと、
前記第１のデバイスにより実行された前記ＣＣＡが成功した少なくとも１つの物理キャリアを有する物理キャリアの各サブセットについて、物理キャリアの前記サブセットに対応する前記仮想キャリアを、前記第１のデバイスにより実行された前記ＣＣＡが成功した前記少なくとも１つの物理キャリアのうちの少なくとも１つにマッピングすることと、ここにおいて、前記ワイヤレスデータ送信と関連付けられる前記複数の仮想キャリアが第２の仮想キャリアを備える、
をさらに備え、前記方法は、
前記第１のデバイスにより実行された前記ＣＣＡが前記第２の仮想キャリアに対応する物理キャリアの前記サブセットの中の物理キャリアについて成功しなかったという決定に基づいて、少なくとも前記第２の仮想キャリアを物理キャリアにマッピングするのを控えることをさらに備える、請求項１に記載の方法。
【請求項１４】
ワイヤレス通信のための装置であって、
第１のデバイスにより実行されたクリアチャネルアセスメント（ＣＣＡ）と関連付けられる複数の物理キャリアから、前記第１のデバイスにより実行された前記ＣＣＡが成功した前記物理キャリアのうちの１つを特定するための手段と、
前記第１のデバイスによるワイヤレスデータ送信と関連付けられる仮想キャリアを、前記物理キャリアのうちの前記特定された１つにマッピングするための手段と、ここで、前記仮想キャリアは、前記複数の物理キャリアを通じた前記ワイヤレスデータ送信の符号化および復号の間の前記物理キャリアのうちの前記特定された１つのためのプロキシであることを特徴とする、
を備える、装置。
【請求項１５】
プロセッサによって実行可能な命令を記憶するためのコンピュータ可読媒体であって、請求項１〜１３のうちのいずれか一項の方法を実行するための命令を備える、コンピュータ可読媒体。
【手続補正２】
【補正対象書類名】明細書
【補正対象項目名】０２５７
【補正方法】変更
【補正の内容】
【０２５７】
[0275]本開示の前述の説明は、当業者が本開示を構成または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例に対する選好を暗示せず、または必要としない。したがって、本開示は、本明細書で説明された例および設計に限定されるべきでなく、本明細書で開示された原理および新規の特徴に一致する最も広い範囲を与えられるべきである。
以下に本願の出願当初の特許請求の範囲に記載された発明を付記する。
［Ｃ１］
ワイヤレス通信の方法であって、
第１のデバイスにより実行されたクリアチャネルアセスメント（ＣＣＡ）と関連付けられる複数の物理キャリアから、前記第１のデバイスにより実行された前記ＣＣＡが成功した前記物理キャリアのうちの１つを特定することと、
前記第１のデバイスによるワイヤレスデータ送信と関連付けられる仮想キャリアを、前記物理キャリアのうちの前記特定された１つにマッピングすることとを備える、方法。
［Ｃ２］
前記ワイヤレスデータ送信を、前記物理キャリアのうちの前記１つを通じて第２のデバイスにおいて前記第１のデバイスから受信することをさらに備える、Ｃ１に記載の方法。
［Ｃ３］
前記第１のデバイスからのシグナリングを第２のデバイスにおいて受信することをさらに備え、前記ＣＣＡが成功した前記物理キャリアのうちの前記１つが、前記第１のデバイスからの前記シグナリングに基づいて前記第２のデバイスによって特定される、Ｃ１に記載の方法。
［Ｃ４］
前記複数の物理キャリアを、前記第１のデバイスによる前記ワイヤレスデータ送信の前に監視することをさらに備え、前記第１のデバイスからの前記シグナリングが、前記ワイヤレスデータ送信の前に前記物理キャリアのうちの前記１つを通じて受信される、Ｃ３に記載の方法。
［Ｃ５］
前記シグナリングが、前記物理キャリアのうちの前記１つを通じて前記第１のデバイスから受信されるチャネル使用ビーコン信号（ＣＵＢＳ）を備える、Ｃ４に記載の方法。
［Ｃ６］
前記シグナリングが、前記物理キャリアのうちの前記１つを通じて前記第１のデバイスから受信される参照信号を備える、Ｃ３に記載の方法。
［Ｃ７］
前記第１のデバイスからのビットマップを第２のデバイスにおいて受信することをさらに備え、前記ＣＣＡが成功した前記物理キャリアのうちの前記１つが、前記第１のデバイスからの前記ビットマップに基づいて前記第２のデバイスによって特定される、Ｃ１に記載の方法。
［Ｃ８］
前記ビットマップが、免許不要帯域を通じて受信される、Ｃ７に記載の方法。
［Ｃ９］
前記第１のデバイスによって、前記ワイヤレスデータ送信と関連付けられる仮想キャリアの数に基づいて、前記ＣＣＡと関連付けられる前記複数の物理キャリアを選択することをさらに備える、Ｃ１に記載の方法。
［Ｃ１０］
前記第１のデバイスによって、前記ワイヤレスデータ送信と関連付けられる仮想キャリアの数よりも多数の数の物理キャリア上でＣＣＡを実行することをさらに備える、Ｃ１に記載の方法。
［Ｃ１１］
前記ＣＣＡが成功した前記物理キャリアの数が仮想キャリアの数よりも少ないという決定に基づいて、少なくとも第２の仮想キャリアをマッピングするのを控えることと、前記第１のデバイスによって、仮想キャリアの前記数以下である数の前記物理キャリアについてチャネル使用ビーコン信号（ＣＵＢＳ）を送信することとをさらに備える、Ｃ１０に記載の方法。
［Ｃ１２］
前記第１のデバイスによって、前記ＣＣＡが成功した前記物理キャリアの数が仮想キャリアの前記数よりも多いという決定に基づいて、複数の物理キャリアを通じて前記ワイヤレスデータ送信の少なくとも一部分を冗長的に送信することをさらに備える、Ｃ１０に記載の方法。
［Ｃ１３］
前記第１の仮想キャリアの優先順位に対する前記第２の仮想キャリアの優先順位に基づいて、前記第２の仮想キャリアをマッピングするのを控えると決定することをさらに備える、Ｃ１に記載の方法。
［Ｃ１４］
前記第１のデバイスによって、前記仮想キャリアのためのアップリンクグラントを受信することをさらに備え、前記アップリンクグラントが、前記第１のデバイスによって前記ＣＣＡと関連付けられる前記複数の物理キャリアを備える、Ｃ１に記載の方法。
［Ｃ１５］
前記ＣＣＡと関連付けられる前記複数の物理キャリアを、前記複数の物理キャリアのチャネル強度測定結果に基づいて選択することをさらに備える、Ｃ１に記載の方法。
［Ｃ１６］
前記ＣＣＡと関連付けられる前記複数の物理キャリアを選択することが、前記ＣＣＡと関連付けられる前記複数の物理キャリアの少なくとも一部分についてのチャネル強度測定結果のエイジに基づく、Ｃ１５に記載の方法。
［Ｃ１７］
前記ＣＣＡと関連付けられる前記複数の物理キャリアを選択することが、前記ワイヤレスデータ送信と関連付けられる変調およびコーディング方式、前記ワイヤレスデータ送信と関連付けられるランク、または前記ワイヤレスデータ送信と関連付けられるトランスポートブロックサイズのうちの少なくとも１つを前記物理キャリアがサポートすることが可能かどうかの決定に基づく、Ｃ１５に記載の方法。
［Ｃ１８］
前記仮想キャリアが、前記ワイヤレスデータ送信と関連付けられる複数の仮想キャリアのうちの１つを備え、前記方法は、
前記第１のデバイスによる前記ＣＣＡが成功した前記物理キャリアのサブセットを特定することと、
前記第１のデバイスと、前記ワイヤレスデータ送信を受信するように構成された第２のデバイスとの間で共有される、所定のマッピング方式に基づいて、前記サブセットの前記物理キャリアのうちの１つに前記仮想キャリアの各々をマッピングすることとをさらに備える、Ｃ１に記載の方法。
［Ｃ１９］
前記物理キャリアのうちの前記１つのキャリア識別フィールド（ＣＩＦ）において、前記仮想キャリアと関連付けられる識別子を送信することをさらに備える、Ｃ１に記載の方法。
［Ｃ２０］
前記仮想キャリアがダウンリンク仮想キャリアを備え、前記第１のデバイスによって実行される前記ＣＣＡがダウンリンクＣＣＡであり、前記第１のデバイスにより実行された前記ＣＣＡが成功した前記物理キャリアのうちの前記１つを特定することが、前記第１のデバイスにより実行された前記ＣＣＡが成功した前記物理キャリアのうちの前記１つを、前記ダウンリンク仮想キャリアに対応する物理キャリアのサブセットの中の第１の物理キャリアとして特定することを備え、前記方法は、
前記ダウンリンク仮想キャリアに対応する物理キャリアの前記サブセットの中の少なくとも第２の物理キャリアを、第２のデバイスによるアップリンクワイヤレスデータ送信と関連付けられるアップリンク仮想キャリアにマッピングするための物理キャリア候補として特定することをさらに備え、前記第２の物理キャリアが、前記第１のデバイスにより実行された前記ＣＣＡが成功した別の物理キャリアである、Ｃ１に記載の方法。
［Ｃ２１］
前記ダウンリンク仮想キャリアに対応する物理キャリアの前記サブセットを特定する無線リソース制御（ＲＲＣ）シグナリングを受信することをさらに備える、Ｃ２０に記載の方法。
［Ｃ２２］
前記第２のデバイスによって、各物理キャリア候補についてアップリンクＣＣＡを実行することと、
前記第２の物理キャリアを、前記第２のデバイスにより実行された前記アップリンクＣＣＡが成功した物理キャリアとして特定することと、
前記第２のデバイスによる前記アップリンクワイヤレスデータ送信と関連付けられる前記アップリンク仮想キャリアを前記第２の物理キャリアにマッピングすることとをさらに備える、Ｃ２０に記載の方法。
［Ｃ２３］
前記仮想キャリアが、前記ワイヤレスデータ送信と関連付けられる複数の仮想キャリアのうちの第１の仮想キャリアを備え、前記方法は、
物理キャリアの複数の重複しないサブセットを特定することと、ここにおいて、物理キャリアの前記重複しないサブセットの各々は前記仮想キャリアのそれぞれ１つに対応する、
物理キャリアの各サブセットについて、前記第１のデバイスにより実行された前記ＣＣＡが物理キャリアの前記サブセットのうちの少なくとも１つの物理キャリアについて成功したかどうかを決定することと、
前記第１のデバイスにより実行された前記ＣＣＡが成功した少なくとも１つの物理キャリアを有する物理キャリアの各サブセットについて、物理キャリアの前記サブセットに対応する前記仮想キャリアを、前記第１のデバイスにより実行された前記ＣＣＡが成功した前記少なくとも１つの物理キャリアのうちの少なくとも１つにマッピングすることとをさらに備える、Ｃ１に記載の方法。
［Ｃ２４］
前記ワイヤレスデータ送信と関連付けられる前記複数の仮想キャリアが第２の仮想キャリアを備え、前記方法は、
前記第１のデバイスにより実行された前記ＣＣＡが前記第２の仮想キャリアに対応する物理キャリアの前記サブセットの中の前記物理キャリアについて成功しなかったという決定に基づいて、少なくとも前記第２の仮想キャリアを物理キャリアにマッピングするのを控えることをさらに備える、Ｃ２３に記載の方法。
［Ｃ２５］
前記仮想キャリアの各々において、物理アップリンク制御チャネル（ＰＵＣＣＨ）のためにリソースを予約することと、
前記ＰＵＣＣＨを、前記第１のデバイスにより実行された前記ＣＣＡが成功した前記物理キャリアのうちの１つにマッピングされた前記仮想キャリアのうちの１つを通じて送信することと、
をさらに備える、Ｃ２３に記載の方法。
［Ｃ２６］
前記仮想キャリアの各々がインデックスと関連付けられ、前記第１のデバイスにより実行された前記ＣＣＡが成功した前記物理キャリアのうちの１つにマッピングされた前記仮想キャリアのうちの１つの上で前記ＰＵＣＣＨを送信することが、
前記仮想キャリアのうちの１つを通じて前記ＰＵＣＣＨを送信することを備え、前記仮想キャリアのうちの１つを選択することが、最小のインデックスまたはランダムな選択のうちの少なくとも１つに基づく、Ｃ２５に記載の方法。
［Ｃ２７］
前記ＰＵＣＣＨが送信される前記仮想キャリアのうちの前記１つをランダムに選択するために使用される乱数生成器のための初期設定を備える、無線リソース制御（ＲＲＣ）シグナリングを受信することをさらに備える、Ｃ２５に記載の方法。
［Ｃ２８］
前記第１の仮想キャリアに対応する物理キャリアの前記サブセットのうちの１つから、前記第１のデバイスにより実行された前記ＣＣＡが成功した少なくとも１つの追加の物理キャリアを特定することと、
前記第１のデバイスによって、前記少なくとも１つの追加の物理キャリアの各々を通じて、サウンディング参照信号（ＳＲＳ）を送信することとをさらに備える、Ｃ２３に記載の方法。
［Ｃ２９］
ＣＣＡ免除送信（ＣＥＴ）を、物理キャリアの前記サブセットのうちの少なくとも１つにおいて前記物理キャリアのうちの少なくとも１つを通じて、前記第１のデバイスによって送信することをさらに備える、Ｃ２３に記載の方法。
［Ｃ３０］
前記第１の仮想キャリアに対応する物理キャリアの前記サブセットのうちの１つから、前記第１のデバイスにより実行された前記ＣＣＡが成功した少なくとも１つの追加の物理キャリアを特定することと、
前記第１のデバイスによって、前記少なくとも１つの追加の物理キャリアの各々を通じて、チャネル使用ビーコン信号（ＣＵＢＳ）およびチャネル状態情報参照信号（ＣＳＩ−ＲＳ）のうちの少なくとも１つを送信することとをさらに備える、Ｃ２３に記載の方法。
［Ｃ３１］
前記仮想キャリアに対応する物理キャリアのサブセットを特定することと、ここで、物理キャリアの前記サブセットは、前記仮想キャリアがマッピングされる前記物理キャリアのうちの前記１つと、少なくとも１つの追加の物理キャリアとを備える、
前記少なくとも１つの追加の物理キャリアから、前記第１のデバイスにより実行された前記ＣＣＡが成功した少なくとも１つの追加の物理キャリアを特定することと、
前記仮想キャリアがマッピングされる前記物理キャリアのうちの前記１つと、前記第１のデバイスにより実行された前記ＣＣＡが成功した前記少なくとも１つの追加の物理キャリアとの各々について、チャネル品質情報（ＣＱＩ）を前記第１のデバイスに送信することとをさらに備える、Ｃ１に記載の方法。
［Ｃ３２］
第２のデバイスにおいて前記第１のデバイスからシグナリングを受信することをさらに備え、前記仮想キャリアがマッピングされる前記物理キャリアのうちの前記１つと、前記第１のデバイスにより実行された前記ＣＣＡが成功した前記少なくとも１つの追加の物理キャリアとが、前記第１のデバイスからの前記シグナリングに基づいて前記第２のデバイスによって特定される、Ｃ３１に記載の方法。
［Ｃ３３］
前記第２のデバイスにおいて前記第１のデバイスからビットマップを受信することをさらに備え、前記仮想キャリアがマッピングされる前記物理キャリアのうちの前記１つと、前記第１のデバイスにより実行された前記ＣＣＡが成功した前記少なくとも１つの追加の物理キャリアとが、前記第１のデバイスからの前記ビットマップに基づいて前記第２のデバイスによって特定される、Ｃ３２に記載の方法。
［Ｃ３４］
前記第１のデバイスによって、前記物理キャリアの前記特定された１つのインターレースされたリソースブロックを通じて前記ワイヤレスデータ送信の物理アップリンク制御チャネル（ＰＵＣＣＨ）を送信することをさらに備える、Ｃ１に記載の方法。
［Ｃ３５］
ワイヤレス通信のための装置であって、
第１のデバイスにより実行されたクリアチャネルアセスメント（ＣＣＡ）と関連付けられる複数の物理キャリアから、前記第１のデバイスにより実行された前記ＣＣＡが成功した前記物理キャリアのうちの１つを特定するための手段と、
前記第１のデバイスによるワイヤレスデータ送信と関連付けられる仮想キャリアを、前記物理キャリアの前記特定された１つにマッピングするための手段と、
を備える、装置。
［Ｃ３６］
前記ワイヤレスデータ送信を、前記物理キャリアのうちの前記１つを通じて第２のデバイスにおいて前記第１のデバイスから受信するための手段をさらに備える、Ｃ３５に記載の装置。
［Ｃ３７］
前記第１のデバイスからのシグナリングを第２のデバイスにおいて受信するための手段をさらに備え、前記ＣＣＡが成功した前記物理キャリアのうちの前記１つが、前記第１のデバイスからの前記シグナリングに基づいて前記第２のデバイスによって特定される、Ｃ３５に記載の装置。
［Ｃ３８］
前記複数の物理キャリアを、前記第１のデバイスによる前記ワイヤレスデータ送信の前に監視するための手段をさらに備え、前記第１のデバイスからの前記シグナリングが、前記ワイヤレスデータ送信の前に前記物理キャリアのうちの前記１つを通じて受信される、Ｃ３７に記載の装置。
［Ｃ３９］
前記シグナリングが、前記物理キャリアのうちの前記１つを通じて前記第１のデバイスから受信されるチャネル使用ビーコン信号（ＣＵＢＳ）を備える、Ｃ３８に記載の装置。
［Ｃ４０］
前記シグナリングが、前記物理キャリアのうちの前記１つを通じて前記第１のデバイスから受信される参照信号を備える、Ｃ３７に記載の装置。
［Ｃ４１］
ワイヤレス通信のための装置であって、
プロセッサと、
前記プロセッサに結合されたメモリとを備え、前記プロセッサが、
第１のデバイスにより実行されたクリアチャネルアセスメント（ＣＣＡ）と関連付けられる複数の物理キャリアから、前記第１のデバイスにより実行された前記ＣＣＡが成功した前記物理キャリアのうちの１つを特定し、
前記第１のデバイスによるワイヤレスデータ送信と関連付けられる仮想キャリアを、前記物理キャリアのうちの前記特定された１つにマッピングする
ように構成された、
装置。
［Ｃ４２］
前記プロセッサが、
前記ワイヤレスデータ送信を、前記物理キャリアのうちの前記１つを通じて第２のデバイスにおいて前記第１のデバイスから受信するように構成される、Ｃ４１に記載の装置。
［Ｃ４３］
前記プロセッサが、
前記第１のデバイスからのシグナリングを第２のデバイスにおいて受信するように構成され、前記ＣＣＡが成功した前記物理キャリアのうちの前記１つが、前記第１のデバイスからの前記シグナリングに基づいて前記第２のデバイスによって特定される、Ｃ４１に記載の装置。
［Ｃ４４］
前記プロセッサが、
前記第１のデバイスからのビットマップを第２のデバイスにおいて受信するように構成され、前記ＣＣＡが成功した前記物理キャリアのうちの前記１つが、前記第１のデバイスからの前記ビットマップに基づいて前記第２のデバイスによって特定される、Ｃ４１に記載の装置。
［Ｃ４５］
前記ビットマップが、免許不要帯域を通じて受信される、Ｃ４４に記載の装置。
［Ｃ４６］
前記プロセッサが、
前記第１のデバイスによって、前記ワイヤレスデータ送信と関連付けられる仮想キャリアの数に基づいて、前記ＣＣＡと関連付けられる前記複数の物理キャリアを選択するように構成される、Ｃ４１に記載の装置。
［Ｃ４７］
前記プロセッサが、
前記第１のデバイスによって、前記ワイヤレスデータ送信と関連付けられる仮想キャリアの数よりも多数の数の物理キャリア上でＣＣＡを実行するように構成される、Ｃ４１に記載の装置。
［Ｃ４８］
前記プロセッサが、
前記第１のデバイスによって、仮想キャリアの前記数以下の数の前記物理キャリアについてチャネル使用ビーコン信号（ＣＵＢＳ）を送信するように構成される、Ｃ４７に記載の装置。
［Ｃ４９］
プロセッサによって実行可能な命令を記憶するためのコンピュータ可読媒体であって、
第１のデバイスにより実行されたクリアチャネルアセスメント（ＣＣＡ）と関連付けられる複数の物理キャリアから、前記ＣＣＡが成功した前記物理キャリアのうちの１つを特定するための命令と、
前記第１のデバイスによるワイヤレスデータ送信と関連付けられる仮想キャリアを、前記物理キャリアのうちの前記特定された１つにマッピングするための命令と、
を備える、コンピュータ可読媒体。
［Ｃ５０］
前記ワイヤレスデータ送信を、前記物理キャリアのうちの前記１つを通じて第２のデバイスにおいて前記第１のデバイスから受信するための命令をさらに備える、Ｃ４９に記載のコンピュータ可読媒体。